(57)【要約】【課題】  エッジライトにより照射された光を効率よく利用し、対象物（写真、ポスター等）を見易く鮮明に照らすことができるエッジライトパネルを提供することを目的としたものである。【解決手段】  エッジライトパネル１は、パネル体１０が、写真３０に光を照射する導光部２０と、導光部２０との間に写真３０を挟み保持する保持プレート４０とで構成され、導光部２０は、外部より透視可能で且つ少なくとも写真３０側の面に向かい光を照射する導光板２１と、透視可能で且つ写真３０及び導光板２１とを密着するシリコン樹脂層２５とを備えているので、バックライト方式とは違い、逆光となり写真３０を見難くなるようなことはなく、また写真３０へ効果的に光を照射することができるので、写真３０の内容を鮮明に浮かび上がらせることが可能となる。【選択図】 図２
2006227140.tif 000002
【特許請求の範囲】
【請求項１】
光源体から照射された光を端面から取り入れ、鑑賞するための対象物に向けて光を照射するエッジライトパネルにおいて、  
外部より透視可能で、且つ前記光源体からの光を端面から取り入れ、その取り入れた光を照射する面が少なくとも前記対象物の前方から照射する面である導光板と、
前記対象物の後面に設けられた保持プレートと、を有し
前記導光板と前記保持プレートとで前記対象物を挟み保持するパネル体を備えたことを特徴とするエッジライトパネル。
【請求項２】
前記パネル体は、前記導光板と前記対象物とを密着させる密着層を備えたことを特徴とする請求項１記載のエッジライトパネル。
【請求項３】
前記密着層は、前記導光板と前記対象物との間に密着し、その後面に設けられた前記保持プレートとも密着することを特徴とする請求項２記載のエッジライトパネル。
【請求項４】
前記保持プレートは、片面又は両面に模様が施され且つ前記導光板からの光を取り入れ前記模様が発光することを特徴とする請求項１乃至請求項３の何れかに記載のエッジライトパネル。
【請求項５】
前記模様は、立体表示をする模様で構成されることを特徴とする請求項４記載のエッジライトパネル。
【請求項６】
前記密着層は、シリコン樹脂で形成されることを特徴とする請求項２乃至請求項５の何れかに記載のエッジライトパネル。
【請求項７】
前記導光板は、光を取り入れる面以外の端面に、前記導光板の内部へ光を反射する反射体を設けたことを特徴とする請求項１乃至請求項６の何れかに記載のエッジライトパネル。
【発明の詳細な説明】
【技術分野】
【０００１】
本発明は、写真やポスター等の対象物にエッジライトを利用して均一な光を照射し、対象物をディスプレイとして飾ることができるエッジライトパネルに関するものである。
【背景技術】
【０００２】
エッジライトは、照明装置として厚みを薄くすることが出来るという利点を活かし液晶のバックライトやパネル照明として利用されてきた。そして、これらを利用した従来のエッジライトパネルは、透明材料からなる導光板の一側面から蛍光灯やＬＥＤのような線状光源を投射し、導光板の一方の表面から光を透過させ面発光させることで、対象物に光を照射させている。そして、この導光板を面発光体として作用させるために、導光板にグラデーションが付されたドットパターンの印刷又はエッチングされた乱反射面が形成されている。
【０００３】
このような従来のエッジライトパネルは、導光板表面から得られた光を利用し、導光板表面に装着した絵画や写真等の対象物に対し、対象物の後方から光を照射することでバックライトを利用して装飾効果を得ていた（例えば、特許文献１）。
【特許文献１】特開２００１−１１７５１６号公報（第２−３頁、図５）
【発明の開示】
【発明が解決しようとする課題】
【０００４】
しかしながら、従来のエッジライトパネルは、装着した対象物の後方からバックライトとして光を照射しているので、逆光となり対象物自体が見難くなるという問題が発生していた。
そこで、本発明は、エッジライトにより照射された光を効率よく利用し、対象物（写真、ポスター等）を見易く鮮明に照らすことができるエッジライトパネルを提供することを目的としたものである。
【課題を解決するための手段】
【０００５】
上記課題を解決するために請求項１記載のエッジライトパネル（１）は、光源体（５０）から照射された光を端面から取り入れ、鑑賞するための対象物（３０）に向けて光を照射するエッジライトパネル（１）において、外部より透視可能で、且つ前記光源体（５０）からの光を端面から取り入れ、その取り入れた光を照射する面が少なくとも前記対象物（３０）の前方から照射する面である導光板（２１）と、前記対象物（３０）の後面に設けられた保持プレート（４０）と、を有し、前記導光板（２１）と前記保持プレート（４０）とで前記対象物（３０）を挟み保持するパネル体（１０）を備えたことを特徴とする。
【０００６】
請求項２記載のエッジライトパネル（１）は、請求項１記載のエッジライトパネル（１）において、前記パネル体（１０）が、前記導光板（２１）と前記対象物（３０）とを密着させる密着層（２５）を備えたことを特徴とする。
【０００７】
請求項３記載のエッジライトパネル（１）は、請求項２記載のエッジライトパネル（１）において、前記密着層（２５）が、前記導光板（２１）と前記対象物（３０）との間に密着し、その後面に設けられた前記保持プレート（４０）とも密着することを特徴とする。
【０００８】
請求項４記載のエッジライトパネル（１）は、請求項１乃至３の何れか記載のエッジライトパネル（１）において、前記保持プレート（４０）が、片面又は両面に模様（４３）が施され且つ前記導光板（２１）からの光を取り入れ前記模様（４３）が発光することを特徴とする。
【０００９】
請求項５記載のエッジライトパネル（１）は、請求項４記載のエッジライトパネル（１）において、前記模様（４３）が、立体表示をする模様（４３）で構成されることを特徴とする。
【００１０】
請求項６記載のエッジライトパネル（１）は、請求項２乃至請求項５の何れかに記載のエッジライトパネル（１）において、前記密着層（２５）が、シリコン樹脂で形成されることを特徴とする。
【００１１】
請求項７記載のエッジライトパネル（１）は、請求項１乃至請求項６の何れかに記載のエッジライトパネル（１）において、前記導光板（２１）が、光を取り入れる面以外の端面に、前記導光板（２１）の内部へ光を反射する反射体（２２）を設けたことを特徴とする。
【発明の効果】
【００１２】
請求項１記載のエッジライトパネルは、対象物の前面から光が照射されるので、バックライト方式とは違い、逆光となり対象物を見難くなるようなことはなく、対象物を鮮明に浮かび上がらせるという装飾上の効果を奏する。
【００１３】
請求項２記載のエッジライトパネルは、請求項１記載のエッジパネルの効果に加え、パネル体が導光板と対象物とを密着させる密着層を備えているので、導光板からの光を通す密着層が空気層を発生させることなく対象物及び導光板と密着することができる。その結果、導光板からの光量の減少を抑制して対象物に光を照射することが可能となり、対象物を鮮明に浮かび上がらせるという装飾上の効果を奏する。
【００１４】
請求項３記載のエッジライトパネルは、請求項２記載のエッジパネルの効果に加え、密着層が、導光板と対象物との間に密着し、その後面に設けられた保持プレートとも密着する構造となっているので、導光板からの光量の減少を抑制して対象物及び保持プレートに光を照射することが可能となり、更には対象物を鮮明に浮かび上がらせるという装飾上の効果を奏する。
【００１５】
請求項４記載のエッジライトパネルは、請求項１乃至請求項３の何れかに記載のエッジライトパネルの効果に加え、片面又は両面に模様が施され且つ導光部からの光を取り入れその模様が発光する構造を持つので、照射された光が模様に反射し、その模様を浮き出させている。その結果、視覚的効果によりその前にある対象物をも浮き出させるという装飾上の効果を奏する。
【００１６】
請求項５記載のエッジライトパネルは、請求項４記載のエッジライトパネルの効果に加え、模様が立体表示をする模様で構成されているので、その模様があたかも奥行き又は立体感のあるように見えるので、薄く構成されたパネル体であっても、対象物を奥行きのあるパネル体の中に装着させているように見せることができる。その結果、光の効果と立体感の効果とで対象物を更に引き立たせるという装飾上の効果を奏する。
【００１７】
請求項６記載のエッジライトパネルは、請求項２乃至請求項５の何れかに記載のエッジライトパネルの効果に加え、密着層をシリコン樹脂で形成したので、粘性が高く剥離しても粘性が保たれているため、古い対象物を剥がして、他の新しい対象物を貼り換えて再使用することも可能となり、経済的効果の向上又は交換作業が容易となるという顕著な効果を奏する。
【００１８】
請求項７記載のエッジライトパネルは、請求項１乃至請求項６の何れかに記載のエッジライトパネルの効果に加え、導光板は、光を取り入れる面以外の端面に、導光板の内部へ光を反射する反射体を設けたことで、密着層へ照射される光量の減少を抑え、効率よく光を利用することができる。  
【発明を実施するための最良の形態】
【００１９】
以下、エッジライトパネル１について、図１から図５に基づいて、実施形態を説明するが、各実施形態について同様の構成要素には同じ符号が付してある。
【００２０】
（第１の実施形態）
以下、第１の実施形態を、図１から図３に基づいて説明する。図１は、エッジライトパネル１全体を示す斜視図であり、三日月や山が写し出された写真３０が飾られている。図２は、エッジライトパネル１の積層状態を示す断面図であり、後述するパネル体１０の内、ハッチングが施されている領域は、光を透過しないことを表し、白色が施されている領域は、光を透過することを表している（以下他の実施形態についても同様である）。図３は、パネル体１０を構成要素毎に分解した分解図である。
【００２１】
図１及び図２に示すように、エッジライトパネル１は、矩形状の写真３０を収納したパネル体１０とそのパネル体１０を起立させるための台座２とで構成されている。台座２は、パネル体１０を所定の見易い角度に保持できる傾斜が設けられていると共に、パネル体１０を載置する際、安定して固定できるようパネル体１０を保持する構造となっている。台座２内部には、光源体５０が内蔵されており、光源体５０は、フルカラーで発光するＬＥＤ５１とＬＥＤ基板５２とで構成されており、図示しないが商用電源又は電池によって駆動している。
【００２２】
次に、パネル体１０を説明すると、パネル体１０は、台座２内部に設けられた光源体５０から光を受け写真３０に向かって光を照射しうる導光部２０と、写真３０を導光部２０との間に挟み写真３０を保持する保持プレート４０とによって構成されている。
【００２３】
次に、図２及び図３に基づいて導光部２０について説明すると、導光部２０は、矩形状の透明な厚さ５ｍｍ程度のアクリル樹脂で形成された導光板２１と、導光板２１の写真３０側に透明なシリコン樹脂を全面に塗り硬化・吸着させたシリコン樹脂層２５とで構成されている。その導光板２１は、写真３０に向かって光を照射する共に、外部から透視可能なように透明なアクリル樹脂にて設けられている。
【００２４】
図２及び図３に示すように、導光板２１は、端面（２３，２２ａ，２２ｂ，２２ｃ）の内、下面にある導入面２３を残して、左右面及び上面に、エッジ反射体２２ａ，２２ｂ，２２ｃが設けられている。このエッジ反射体２２は、少なくとも導光板２１に接する面が鏡面となる帯状の金属テープを貼り付け設けられている。端面とは、導光板２１の写真３０を鑑賞する面と写真３０に光を照射する面以外の面をいう。
【００２５】
シリコン樹脂層２５は、塗布し硬化した後でも粘性の高い透明な厚さ０．１ｍｍ程度のシリコン樹脂膜で構成されている。シリコン樹脂は、導光板２１全面に塗布して設けられている。
【００２６】
次に、本発明の保持プレート４０について説明すると、図２及び図３に示すように、保持プレート４０は、厚さ２ｍｍ程度の透明なアクリル樹脂で形成された立体表示板４１と、最背面にあり立体マーク４３を浮き立たせるための背面板４２とで構成されている。
【００２７】
立体表示板４１は、導光部２０からの光を取り入れることが出来るよう透明なアクリル樹脂で形成されており、表裏の表面に施された細かいドット状の凹凸により立体的に見える白色のハート状の立体マーク４３が表示されている。  
背面板４２は、立体マーク４３を浮き立たせるため、黒色無地の板状の紙面で形成されている。
【００２８】
そして、パネル体１０は、上述したように導光部２０に写真３０をシリコン樹脂にて硬化吸着し、この吸着した写真３０と共に、導光部２０と保持プレート４０との間に写真３０を挟み込むような状態にして、図示しないが本体パネル１０の４隅をボルト及びナット又はビス等により螺着し、導光部２０と保持プレート４０とを密着固定している。
【００２９】
（第１の実施形態における作用）
次に、光源体５０より照射された光が、写真３０及び立体表示板４１に照射される作用について図２に基づいて説明する。
【００３０】
先ず、光が写真３０へ照射されまでの作用について説明すると、ＬＥＤ５１から照射された光は、導光板２１の下面にある導入面２３から導光板２１内に取り入れられる。その取り入れられた光は、導光板２１内を反射しながらシリコン樹脂層２５へ照射される。また、導入板２１内に取り入れられた光の内一部の光は、シリコン樹脂層２５とは反する導光板２１前面へも照射される。
【００３１】
一方、導光板２１内部に取り入れられた光は、エッジ反射体２２により再度導光板２１内部へと反射され、導光板２１内を反射しながらシリコン樹脂層２５へ照射される。
そして、エッジ反射体２２は、光源体５０から照射された光を導光板２０の下面にある導入面２３から取り入れ、他の端面から外部へ光を放射しない役割と、再度光を導光板２０の中心へと反射させる役割とを持っている。
【００３２】
ここで、シリコン樹脂層２５と写真３０との間に空気層がある場合には、シリコン樹脂層２５を透過した光は、シリコン樹脂層２５とは異なる屈折率を持つ空気層に乱反射され、光量が減少されて写真３０に到達しまうため、満足する光量が得られていなかったが、このシリコン樹脂層２５は粘性が高く、導光板２１及び写真３０に密着することができるので、空気が入らないように密着させれば後から空気層が発生するのを押さえられる。
【００３３】
このシリコン樹脂層２５は、透過性があるが多少反射する作用をも成し得るのでシリコン樹脂層２５全体に光が照射されると面全体に光を多少反射しながら、均一に面発光する。
【００３４】
次に、光が立体表示板４１へ照射されまでの作用について説明すると、上述した作用により導光板２１から照射された光は、シリコン樹脂層２５を通して、写真３０以外の部分から立体表示板４１を透過し、表裏の表面に施された細かいドット状の凹凸により反射され、立体マーク４３を綺麗に浮き出させるている。このとき、白色の立体マーク４３は、ＬＥＤ５１の光の色や明るさの変化に伴って色や明るさが変化し表示される。
【００３５】
そして、立体表示板４１にて反射した光は、幾層もの媒体（導光板２１、シリコン樹脂層２５）を透過しているため、反射してもバックライト方式のように逆光となる程の光量とはならず写真３０を引き立たせる程度の光量となる。
【００３６】
シリコン樹脂層２５は、柔軟性と粘着性とを兼ね備えることで、写真３０と密着すると共に写真以外の面が立体表示板４１とも空気層を設けることなく密着することになる。  
【００３７】
立体マーク４３は、表裏面の凹凸の加工により見る角度によって様々な形や大きさに変化して見える。  
【００３８】
（第１の実施形態から把握される効果）  
（１）第１の実施形態のエッジライトパネル１は、前面から写真３０に向かい光を照射することができるので、バックライト方式とは異なり、逆光となり写真３０を見難くなるようなことはない。
【００３９】
（２）第１の実施形態のエッジライトパネル１は、導光板２１から写真３０に向かい光を照射することができるので、スポットライト方式の場合と比較して、写真３０とスポットライトの間に人等の障害物があり影が出来てしまうことがあるが、そのような心配もなく、スポットを当てるスペースをとる必要もない。その結果、写真３０を鮮明に照らすことができる。
【００４０】
（３）第１の実施形態のエッジライトパネル１は、光源体５０に強い光源を使用した際には、暗がりでも鮮明に写真３０を照らすことができるような照明効果がある。
【００４１】
（４）第１の実施形態のエッジライトパネル１は、導光板２１が、写真３０を収納又は保護するためのパネルも兼ねているため、全体の厚みも薄く、照明装置（光源体５０）等を含めてもコンパクトに装飾照明を施すことが可能となる。
【００４２】
（５）第１の実施形態のエッジライトパネル１は、エッジ反射体２２が、他の端面から外部へ光を放射しない役割と、再度光を導光板２０の中心へと反射させる役割とを持っているので、シリコン樹脂層２５へ照射される光量の減少を抑えている。
【００４３】
（６）第１の実施形態のエッジライトパネル１は、シリコン樹脂層２５が、空気層に邪魔されることなく透過する光量の減少を押さえることができるので、写真３０に充分な光を照射させることができる。
【００４４】
（７）第１の実施形態のエッジライトパネル１は、シリコン樹脂層２５が、均一に面発光することで、より装飾効果を向上することができる。
【００４５】
（８）第１の実施形態のエッジライトパネル１は、シリコン樹脂層２５が、粘性が高いと同時に剥離性にも優れているので、古い写真３０を剥がして、他の新しい写真３０を貼り換えて再使用することも可能となる。そして、このシリコン樹脂層２５を使用することで経済効果又は交換作業が容易となる。
【００４６】
（９）第１の実施形態のエッジライトパネル１は、シリコン樹脂層２５が、導光板２１と写真３０との間に密着し、その後面に保持プレート４０とも密着する構造となっているので、導光板２１からの光量の減少を抑制して写真３０及び保持プレート４０に光を照射することが可能となり、更には写真３０を鮮明に浮かび上がらせるという装飾上の効果を奏する。
【００４７】
（１０）第１の実施形態のエッジライトパネル１は、立体表示板４１が、立体マーク４３自体が浮かび上がり、その手前にある写真３０をも浮き上がらせるように見えるので、写真３０をあたかも宙に浮かせているように、またパネル体１０自体が奥行きのあるように見せることができるので、結果として装飾効果を向上させている。
【００４８】
（１１）第１の実施形態のエッジライトパネル１は、立体マーク４３は、見る角度によって様々な形や大きさに変化して見えるので、装飾効果を向上させている。
【００４９】
（１２）第１の実施形態のエッジライトパネル１は、立体表示板４１が、上記のように照射された光を取り入れ反射することで立体マーク４３を浮き出させることができる。その結果、その前にある写真３０をも浮き出させることができるので、上述した立体効果と光による効果とで装飾効果をより向上させることができる。
【００５０】
（第２の実施形態）
以下、第２の実施形態を、図４に基づいて説明する。図４は、エッジライトパネル１の積層状態を示す断面図である。
【００５１】
パネル体１０は、導光板２１とシリコン樹脂層２５とで構成された導光部２０と、本発明における保持プレートとしての背面板４２とで構成されており、第１実施形態で説明したように導光部２０に写真３０をシリコン樹脂にて硬化吸着し、この吸着した写真３０と共に、導光部２０と背面板４２との間に写真３０を挟み込むような状態にして、図示しないが本体パネル１０の４隅をボルト及びナット又はビス等により螺着し、導光部２０と背面板４２とを密着固定している。
【００５２】
（第２の実施形態における作用及び効果）
第１の実施形態における光源体５０からの光が写真３０へ照射されまでの作用と同様の作用を奏する。そして、上記作用に加え、シリコン樹脂層２５を透過した光は、写真３０だけでなく背面板４２も照射され、その背面板４２に模様等がある場合にはその模様が写し出され、写真３０と共にライトアップされる。
以上、第２の実施形態から把握される効果は、第１の実施形態から把握される効果のうち（１）から（８）までの効果と同様である。
【００５３】
（第３の実施形態）
以下、第３の実施形態を、図５に基づいて説明する。図５は、のエッジライトパネル１の積層状態を示す断面図である。
【００５４】
パネル体１０は、導光部２０となる導光板２１と、本発明における保持プレートとしての背面板４２で構成されており、導光板２１と背面板４２との間に写真３０を挟み、図示されていないが、本体パネル１０の４隅をボルト及びナット又はビス等により螺着固定されている。
【００５５】
（第３の実施形態における作用及び効果）
光源体５０より照射された光が、写真３０に照射される作用について図５に基づいて説明する。
【００５６】
ＬＥＤ５１から照射された光は、導光板２１の下面にある導入面２３から導入板２１内に取り入れられる。その取り入れられた光は、導光板２１内を反射しながら、またエッジ反射体２２に反射しながら、導光板２１から写真３０へと照射される。そして、導光板２１からの光は、背面板４２にも照射され、その背面板４２に模様等がある場合にはその模様が写し出され、写真３０と共にライトアップされる。
以上、第３の実施形態から把握される効果は、第１の実施形態から把握される効果のうち（１）から（５）までの効果と同様である。
【００５７】
（他の実施形態への変更例）
以上説明した実施形態を他の実施形態へ変更した例を以下に示す。
・以上の実施形態では、本体パネル１０の４隅をボルト及びナット又はビス等により螺着固定する方法で説明したが、導光部２０のシリコン樹脂層２５の粘着力により、空気が入らないようにしながら、導光板２１と写真３０との間にシリコン樹脂を塗布し、その背面に保持プレート部４０を密着固定してもよく、更に写真３０とシリコン樹脂層２５の間には空気層が入ることがないので、空気層により反射されることなく写真３０に光を照射することが可能となる。
【００５８】
・以上の実施形態では、本発明における反射体としてのエッジ反射体２２にテープ状（反射帯）のものを使用したが、液体状の塗料や印刷等でも良く、光を内部へと反射する材料を端面に、反射面として周設するものであればよく、よりきめ細かく反射面を構成できるので更に良い。また、導入面２３は、光を効率よく導入させるため、細かくガラス状に綺麗に研磨して透過しやすい研磨面として設けても良い。
【００５９】
・以上の実施形態では、導光板２１又はシリコン樹脂層２５を均一に反射により発光させるには、導光板２１又はシリコン樹脂層２５に色を付けることで、光が導光板２１又はシリコン樹脂層２５の面に均一に反射させ、発光させることも可能であり、また、導光板２１とシリコン樹脂層２５との透過率や屈折率を変化させることで、光をシリコン樹脂層２５の面で均一に反射させ、発光させることも可能となる。  
【００６０】
・以上の実施形態では、本発明における密着層としてのシリコン樹脂層２５は、粘着層としてゲル状樹脂を硬化させて形成したが、最初からシート状の物であっても良く、上述した作用が発揮できれば良い。
【００６１】
・以上の実施形態では、本発明における模様としての立体マーク４３は、表裏面に凹凸を設けて模様を施したが、表裏面のどちらか一方にドット状の凹凸を加工し、模様が平面的に見えるものであってもよく、加工した面に光が照射され、その光を反射した任意の模様が反射表示することで装飾効果を高めるものであれば良い。
【００６２】
・以上の実施形態では、立体マーク４３は、ハート型模様であるが、幾何学模様や象形模様であっても良い。
【００６３】
・以上の実施形態では、背面板４２を黒色の背景としたが、黒色以外の色であっても良く、第２，３の実施形態では、透明であっても良い。
【００６４】
・以上の実施形態では、導光板２１と立体表示板４１を透明な透光性の優れているアクリル樹脂を用いて説明したが、透明なポリエチレン樹脂やポリプロピレン樹脂、ポリ塩化ビニル樹脂であっても良い。
【００６５】
・以上の実施形態の導光板２１は、前面へ照射される光も有効利用するために導光板２１内をハーフミラー構造とすることで、写真３０に照射する光量を増やすことも可能である。
【００６６】
・以上の実施形態では、パネル体１０を矩形状で説明したが、限定することなく多角形、円、楕円等のエッジライトを利用できる形状であれば良い。
【００６７】
・以上の実施形態では、本発明における対象物として写真３０により説明したが、他にポスターや商品ラベルや絵画等であっても良い。
【００６８】
・以上の実施形態では、光源体５０に、ＬＥＤ５１を使用したが、例えば、蛍光灯やネオン管等の照明装置であっても良い。
【００６９】
（本実施形態の応用例）
以上説明した本実施形態を応用した例を以下に示す。
以上の実施形態では、エッジライトパネル１を、写真３０を内蔵した写真立てとしたが、飲食店用のメニュー立てとしたり、パネル体１０を利用し光源体５０を額縁等に内蔵し壁等に吊り下げることができる額縁や、パネル体１０を利用し光源体５０を自動販売機に内蔵し商品やポスター等を飾るディスプレイ、その他広告灯等の他の形式に利用しても良い。
【図面の簡単な説明】
【００７０】
【図１】第１の実施形態のエッジライトパネル１全体を示す斜視図。
【図２】第１の実施形態のエッジライトパネル１の積層状態を示す断面図。
【図３】第１の実施形態のパネル体１０を構成要素毎に分解した分解図。
【図４】第２の実施形態のエッジライトパネル１の積層状態を示す断面図。
【図５】第３の実施形態のエッジライトパネル１の積層状態を示す断面図。
【符号の説明】
【００７１】
１・・・エッジライトパネル、２・・・台座、１０・・・パネル体、
２０・・・導光部、２１・・・導光板、
２２，２２ａ,２２ｂ,２２ｃ・・・エッジ反射体、２３・・・導入面、
２５・・・シリコン樹脂層、３０・・・写真、４０・・・保持プレート、
４１・・・立体表示板、４２・・・背面板、４３・・・立体マーク、
５０・・・光源体、５１・・・ＬＥＤ、５２・・・ＬＥＤ基板。
【図１】
2006227140.tif 000003
【図２】
2006227140.tif 000004
【図３】
2006227140.tif 000005
【図４】
2006227140.tif 000006
【図５】
2006227140.tif 000007